(57)【要約】【課題】所定の軸に対して垂直方向の線上に沿ってドライバＩＣを設置させる場合でも、ドライバＩＣに動作不良が発生するのを防ぎつつ、表示パネルを変形させることができるコンパクトな表示装置を提供する。【解決手段】情報を表示する表示部Ｄを有し、かつ所定の軸周りに湾曲変形可能に構成された液晶パネル２を備えた液晶表示装置１において、表示部Ｄを駆動する矩形状のドライバＩＣ５ａ〜５ｆを備え、所定の軸Ｌ０に対して斜めに配置されるように、液晶パネル２上にドライバＩＣ５ａ〜５ｆを実装する。【選択図】図１
2009180904.tif 000002
【特許請求の範囲】
【請求項１】
情報を表示する表示部を有し、かつ所定の軸周りに湾曲変形可能に構成された表示パネルを備えた表示装置であって、
前記表示部を駆動する矩形状のドライバＩＣを備え、
前記ドライバＩＣは、前記所定の軸に対して斜めに配置されるように、前記表示パネル上に実装されている、
ことを特徴とする表示装置。
【請求項２】
前記ドライバＩＣは、その四つの角部のうち、前記所定の軸に対して垂直方向にある一対の角部のうちの少なくとも一方の角部が、前記表示パネルに対して接続されない状態で、当該表示パネル上に実装されている請求項１に記載の表示装置。
【請求項３】
前記表示パネルは、所定の軸を中心として湾曲するように変形され、
前記ドライバＩＣでは、その四つの角部のうち、前記所定の軸に対して垂直方向にある一対の角部のうちの少なくとも一方の角部が切断されている請求項１または２に記載の表示装置。
【請求項４】
前記ドライバＩＣの切断面が、前記所定の軸と平行となるように、当該ドライバＩＣは前記表示パネル上に実装されている請求項３に記載の表示装置。
【請求項５】
前記表示パネルは、所定の軸を中心として湾曲するように変形され、
前記ドライバＩＣは、前記表示パネル上に接続される接続領域が、前記所定の軸と平行となるように、当該表示パネル上に実装されている請求項１〜４のいずれか１項に記載の表示装置。
【請求項６】
前記表示パネルは、所定の軸を中心として湾曲するように変形され、
前記ドライバＩＣには、フェースダウンボンディング方式を用いて、前記表示パネル上に実装される複数の端子が設けられ、
前記ドライバＩＣの四つの角部のうち、前記所定の軸に対して垂直方向にある一対の角部のうちの少なくとも一方の角部には、前記端子が形成されていない請求項１〜５のいずれか１項に記載の表示装置。
【請求項７】
前記ドライバＩＣでは、その四つの角部のうち、少なくとも一つの角部に、丸みが形成されている請求項１〜６のいずれか１項に記載の表示装置。
【請求項８】
前記表示パネルは、所定の軸を中心として湾曲するように変形され、
前記ドライバＩＣは、その二つの対角線のうち、一方の対角線が前記所定の軸と異なる位置で、かつ、互いに平行となるように、前記表示パネル上に実装されている請求項１〜７のいずれか１項に記載の表示装置。
【請求項９】
前記表示パネルは、一対の透明基板と、前記一対の透明基板によって狭持される液晶層を備えた液晶パネルである請求項１〜８のいずれか１項に記載の表示装置。
【請求項１０】
請求項１〜９のいずれか１項に記載の表示装置に用いられるドライバＩＣであって、
少なくとも一つの角部が切断されたことを特徴とするドライバＩＣ。
【請求項１１】
請求項１〜９のいずれか１項に記載の表示装置に用いられるドライバＩＣであって、
少なくとも一つの角部に端子が設けられていないことを特徴とするドライバＩＣ。
【発明の詳細な説明】
【技術分野】
【０００１】
本発明は、情報を表示する表示部を有する表示パネルを備えた表示装置、特に所定の軸周りに湾曲変形可能に構成された表示パネルを具備する表示装置、及びそれに用いられるドライバＩＣに関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置には、光を発光するバックライト装置と、バックライト装置に設けられた光源からの光に対しシャッターの役割を果たすことで所望画像を表示する表示パネルとしての液晶パネルとが含まれている。
【０００３】
また、上記のような液晶パネルは、一対の透明基板と、これらの透明基板にて狭持された液晶層とを備えている。また、液晶パネルには、情報を表示する表示部と、一方の透明基板上に実装されるとともに、表示部を駆動するドライバＩＣとが設置されており、液晶パネルでは、表示部に設けられた複数の画素が画素単位に駆動されることによって情報表示が行われる。
【０００４】
また、上記のような従来の液晶表示装置には、例えば下記特許文献１に記載されているように、所定の軸周りに湾曲可能に構成された液晶パネルを用いることにより、使用者の腕の表面に沿って変形可能な表示面を有する腕時計に適用可能なものが提案されている。また、この従来の液晶表示装置では、矩形状の上記ドライバＩＣの長さ（長手）方向が上記所定の軸に対して平行となるように、当該ドライバＩＣを配置することによって液晶パネルの湾曲度合いの増大を図ることが可能とされていた。
【特許文献１】特開２００５−３３８１７９号公報
【発明の開示】
【発明が解決しようとする課題】
【０００５】
しかしながら、上記のような従来の液晶表示装置では、ドライバＩＣの設置数を増加させた場合に、液晶パネル（表示パネル）のコンパクト化を図るのが難しくなったり、いずれかのドライバＩＣに動作不良が発生したりするおそれがあった。
【０００６】
具体的にいえば、従来の液晶表示装置では、ドライバＩＣの長手方向が上記所定の軸に対して平行となるように、ドライバＩＣを配置していたので、例えば画素数の増加に伴って、所定の軸に対して垂直方向の線上に沿って（すなわち、湾曲方向に沿って）ドライバＩＣを設置させる場合、液晶パネルの所定の軸と平行な方向の寸法が大きくなり、液晶パネルのコンパクト化を図るのが難しくなるおそれがあった。
【０００７】
また、従来の液晶表示装置において、ドライバＩＣの設置数の増加に対応するために、上記のように、所定の軸に対して垂直方向の線上に沿ってドライバＩＣを設置させる場合、液晶パネルを変形させたとき（所定の軸周りに湾曲変形させたとき）、その曲率の大きさやドライバＩＣの設置数や設置箇所等によっては液晶パネルからドライバＩＣに作用する力が部分的に大きくなることがあり、ドライバＩＣが剥がれたり、ドライバＩＣに設けられた複数の端子の一部に接触不良が生じたりして、当該ドライバＩＣに動作不良が発生するおそれがあった。
【０００８】
上記の課題に鑑み、本発明は、所定の軸に対して垂直方向の線上に沿ってドライバＩＣを設置させる場合でも、ドライバＩＣに動作不良が発生するのを防ぎつつ、表示パネルを変形させることができるコンパクトな表示装置を提供することを目的とする。
【課題を解決するための手段】
【０００９】
上記の目的を達成するために、本発明にかかる表示装置は、情報を表示する表示部を有し、かつ所定の軸周りに湾曲変形可能に構成された表示パネルを備えた表示装置であって、
前記表示部を駆動する矩形状のドライバＩＣを備え、
前記ドライバＩＣは、前記所定の軸に対して斜めに配置されるように、前記表示パネル上に実装されていることを特徴とするものである。
【００１０】
上記のように構成された表示装置では、上記矩形状のドライバＩＣが所定の軸に対して斜めに配置されるように表示パネルに実装されている。その為、ドライバＩＣの所定の軸に対して垂直方向での当該ドライバＩＣの見かけの長さを短くすることができる。これにより、表示パネルを所定の軸周りに湾曲変形させたときに、ドライバＩＣに作用する力を小さくすることができる。この結果、従来例と異なり、所定の軸に対して垂直方向の線上に沿ってドライバＩＣを設置させる場合でも、ドライバＩＣに動作不良が発生するのを防ぎつつ、表示パネルを変形させることができるコンパクトな表示装置を構成することができる。
【００１１】
また、上記表示装置において、前記ドライバＩＣは、その四つの角部のうち、前記所定の軸に対して垂直方向にある一対の角部のうちの少なくとも一方の角部が、前記表示パネルに対して接続されない状態で、当該表示パネル上に実装されていることが好ましい。
【００１２】
この場合、所定の軸に対する垂直方向でのドライバＩＣの見かけの長さをより短くすることができる。また、表示パネルを所定の軸周りに湾曲変形させたときに、一点に応力が集中する角部（上記の少なくとも一方の角部）が、接続されていないので、ドライバＩＣの当該角部からの剥がれや動作不良の発生を極力防ぐことができる。
【００１３】
また、上記表示装置において、前記表示パネルは、所定の軸を中心として湾曲するように変形され、
前記ドライバＩＣでは、その四つの角部のうち、前記所定の軸に対して垂直方向にある一対の角部のうちの少なくとも一方の角部が切断されてもよい。
【００１４】
この場合、所定の軸に対する垂直方向でのドライバＩＣの見かけの長さをより短くすることができる。また、表示パネルを所定の軸を中心として湾曲するように変形させたときに、一点に応力が集中する角部（上記の少なくとも一方の角部）が、接続されていないので、ドライバＩＣの当該角部からの剥がれや動作不良の発生を極力防ぐことができる。
【００１５】
また、上記表示装置において、前記ドライバＩＣの切断面が、前記所定の軸と平行となるように、当該ドライバＩＣは前記表示パネル上に実装されていることが好ましい。
【００１６】
この場合、表示パネルを所定の軸を中心として湾曲するように変形させたときに、ドライバＩＣにかかる応力が、点でなく線で働くこととなり、ドライバＩＣの端部からの剥がれや動作不良の発生をより確実に防ぐことができる。
【００１７】
また、上記表示装置において、前記表示パネルは、所定の軸を中心として湾曲するように変形され、
前記ドライバＩＣは、前記表示パネル上に接続される接続領域が、前記所定の軸と平行となるように、当該表示パネル上に実装されてもよい。
【００１８】
この場合、表示パネルを所定の軸を中心として湾曲するように変形させたときに、ドライバＩＣにかかる応力が、点でなく線で働くこととなり、ドライバＩＣの端部からの剥がれや動作不良の発生を容易に防ぐことができる。
【００１９】
また、上記表示装置において、前記表示パネルは、所定の軸を中心として湾曲するように変形され、
前記ドライバＩＣには、フェースダウンボンディング方式を用いて、前記表示パネル上に実装される複数の端子が設けられ、
前記ドライバＩＣの四つの角部のうち、前記所定の軸に対して垂直方向にある一対の角部のうちの少なくとも一方の角部には、前記端子が形成されていないことが好ましい。
【００２０】
この場合、表示パネルを所定の軸を中心として湾曲するように変形させたときに、ドライバＩＣにかかる応力が、上記の少なくとも一方の角部に働いて剥がれや接続不良を起こしても、その角部には端子が形成されていないため、電気的な動作不良が発生するのを防ぐことができる。
【００２１】
また、上記表示装置において、前記ドライバＩＣでは、その四つの角部のうち、少なくとも一つの角部に、丸みが形成されてもよい。
【００２２】
この場合、表示パネルを変形させたときでも、ドライバＩＣが当該表示パネルから剥がれるのを極力抑えることができる。
【００２３】
また、上記表示装置において、前記表示パネルは、所定の軸を中心として湾曲するように変形され、
前記ドライバＩＣは、その二つの対角線のうち、一方の対角線が前記所定の軸と異なる位置で、かつ、互いに平行となるように、前記表示パネル上に実装されてもよい。
【００２４】
この場合、所定の軸に対する垂直方向でのドライバＩＣの見かけの長さを最も短くすることができることから、曲率を比較的大きくして表示パネルを変形させたときでも、多数のドライバＩＣを容易に配置することが可能となる。
【００２５】
また、上記表示装置において、前記表示パネルは、一対の透明基板と、前記一対の透明基板によって狭持される液晶層を備えた液晶パネルであってもよい。
【００２６】
この場合、ドライバＩＣの設置数を増加させる場合でも、各ドライバＩＣに動作不良が発生するのを防ぎつつ、液晶パネルを変形させることができるコンパクトで画素数の多い液晶表示装置を容易に構成することができる。
【００２７】
また、本発明のドライバＩＣは、上記いずれかの表示装置に用いられるドライバＩＣであって、
少なくとも一つの角部が切断されたことを特徴とするものである。
【００２８】
上記のように構成されたドライバＩＣでは、上記所定の軸に対する垂直方向での当該ドライバＩＣの見かけの長さをより短くすることができる。また、上記表示パネルを所定の軸を中心として湾曲するように変形させたときに、一点に応力が集中する角部（上記の少なくとも一方の角部）が、接続されていないので、ドライバＩＣの当該角部からの剥がれや動作不良の発生を極力防ぐことができる。
【００２９】
また、本発明のドライバＩＣは、上記いずれかの表示装置に用いられるドライバＩＣであって、
少なくとも一つの角部に端子が設けられていないことを特徴とするものである。
【００３０】
上記のように構成されたドライバＩＣでは、上記表示パネルを所定の軸を中心として湾曲するように変形させたときに、当該ドライバＩＣにかかる応力が、上記の少なくとも一方の角部に働いて剥がれや接続不良を起こしても、その角部には端子が形成されていないため、電気的な動作不良が発生するのを防ぐことができる。
【発明の効果】
【００３１】
本発明によれば、所定の軸に対して垂直方向の線上に沿ってドライバＩＣを設置させる場合でも、ドライバＩＣに動作不良が発生するのを防ぎつつ、表示パネルを変形させることができるコンパクトな表示装置、及びそれに用いられるドライバＩＣを提供することが可能となる。
【発明を実施するための最良の形態】
【００３２】
以下、本発明の表示装置の好ましい実施形態について、図面を参照しながら説明する。なお、以下の説明では、本発明を液晶表示装置に適用した場合を例示して説明する。また、各図中の構成部材の寸法は、実際の構成部材の寸法及び各構成部材の寸法比率等を忠実に表したものではない。
【００３３】
［第１の実施形態］
図１は、本発明の第１の実施形態にかかる液晶表示装置の概略構成を示す平面図である。図１において、本実施形態の液晶表示装置１には、表示部Ｄ（有効表示領域）を有する液晶パネル２が設けられており、液晶表示装置１では、表示部Ｄに適宜表示される文字や画像などの情報がユーザに視認されるように構成されている。また、液晶表示装置１では、周知のように、液晶パネル２の背面側に設けられたバックライト装置（図示せず）からの照明光が当該液晶パネル２に照射された状態で、表示部Ｄでの情報表示が行われるようになっている。
【００３４】
液晶パネル２は、一対の透明基板を構成するＣＦ（Color Filter）基板３及びアレイ基板４を備えている。また、液晶パネル２には、ＣＦ基板３とアレイ基板４とによって狭持された液晶層６（図２）が設けられており、液晶層６が画素単位に駆動されることで情報が表示部Ｄで表示される。
【００３５】
また、液晶パネル２の液晶モードや画素構造は任意である。また、液晶パネル２の駆動モードも任意である。すなわち、液晶パネル２としては、情報を表示できる任意の液晶パネルを用いることができる。それ故、図１においては液晶パネル２の詳細な構造を図示せず、その説明も省略する。
【００３６】
また、アレイ基板４では、液晶パネル２の表示面に含まれる複数の画素に応じて、画素電極やＴＦＴ（Thin Film Transistor）などが液晶層６との間に形成されている（図示せず）。一方、ＣＦ基板３には、カラーフィルタや対向電極などが液晶層６との間に形成されている（図示せず）。
【００３７】
また、ＣＦ基板３及びアレイ基板４には、例えば厚さ０．２〜０．４ｍｍ程度で平板状のアクリル樹脂やＰＥＴ（ポリエチレンテレフタレート）などの透明な合成樹脂あるいは透明なガラス材が使用されている。また、液晶パネル２では、ＣＦ基板３の外形寸法よりもアレイ基板４の外形寸法を大きくすることにより、当該アレイ基板４上に表示部Ｄを画素単位に駆動するドライバＩＣ５ａ、５ｂ、５ｃ、５ｄ、５ｅ、５ｆ（以下、“５”で総称する。）が取り付けられている。
【００３８】
具体的にいえば、液晶パネル２では、図１に例示するように、例えば長方形状の六個のドライバＩＣ５が液晶パネル２の長手方向に沿って配列されている。また、各ドライバＩＣ５は、液晶パネル２のアレイ基板４に対して、例えばＣＯＧ（Chip On Glass bonding）実装されており、アレイ基板４の表面上に設けられた配線（図示せず）と、各ドライバＩＣ５の上面または下面に設けられた複数の端子（図示せず）が、フェースアップボンディング方式またはフェースダウンボンディング方式を用いて、互いに電気的に接続されている（後掲の第２、第３、及び第５の各実施形態においても同様。）。
【００３９】
また、本実施形態では、各ドライバＩＣ５は所定の軸Ｌ０に対して斜めに配置されるように、液晶パネル２上に実装されている。つまり、各ドライバＩＣ５では、図１に例示するように、矩形状に形成された表示部Ｄの一辺（長辺）に対して、角部Ｃ１で直交する二辺が各々所定の角度を有するように、表示部Ｄの他辺（短辺）に平行な所定の軸Ｌ０に対して、各ドライバＩＣ５は斜めに配置されている。これにより、本実施形態では、液晶パネル２が変形されたときでも、液晶パネル２側から各ドライバＩＣ５に作用する力を小さくすることができ、各ドライバＩＣ５に動作不良が発生するのを防ぐことができるようになっている（詳細は後述。）。
【００４０】
また、液晶パネル２では、所定の軸Ｌ０を中心として湾曲変形可能に構成されている。具体的にいえば、液晶パネル２では、図１に示すように、例えばその長手方向の中心軸を上記所定の軸Ｌ０とし、かつ、その長手方向の両端部が図１の紙面に垂直下向き方向に変形し、当該液晶パネル２が所定の軸Ｌ０周りに湾曲変形可能になっている。
【００４１】
さらに、本実施形態では、図１に例示するように、各ドライバＩＣ５は、その二つの対角線のうち、一方の対角線Ｌ１が所定の軸Ｌ０と異なる位置で、かつ、互いに平行となるように、液晶パネル２上に実装されている。つまり、各ドライバＩＣ５において、四つの角部Ｃ１、Ｃ２、Ｃ３、Ｃ４のうち、角部Ｃ１、Ｃ３を結ぶ、上記対角線Ｌ１が所定の軸Ｌ０と異なる位置で、かつ、互いに平行となるように、各ドライバＩＣ５はアレイ基板４に接続されている。
【００４２】
尚、これら六個のドライバＩＣ５は、液晶パネル２の長手方向で所定の軸Ｌ０に関して線対称となるように設置されている。また、液晶表示装置１は、液晶パネル２が所定の軸Ｌ０を中心に湾曲変形した状態で、カーナビゲーションシステムなどの表示部などに適用される。また、この液晶表示装置１では、図１の上下方向（液晶パネル２の長手方向）の具体的な寸法は例えば４００ｍｍ程度であり、同図１の左右方向の具体的な寸法は例えば１５０ｍｍ程度である。さらに、ドライバＩＣ５の具体的な寸法は、例えば縦×横、１６×１．８ｍｍ程度である。
【００４３】
ここで、図２を用いて、液晶パネル２を所定の軸Ｌ０周りに湾曲変形させたときでのドライバＩＣ５の状態について説明する。
【００４４】
図２は、図１に示した液晶表示装置において、その液晶パネルが変形された場合での当該液晶表示装置の一部拡大側面図である。
【００４５】
図２に示すように、本実施形態の液晶表示装置１では、液晶パネル２は、その長手方向が湾曲方向Ｗに沿うように、所定の軸Ｌ０を中心に曲率ｒ０で湾曲変形されている。この曲率ｒ０は、所定の軸Ｌ０と、ドライバＩＣ５が実装されているアレイ基板４の実装面４ａとの間の曲率半径である。また、液晶表示装置１では、各ドライバＩＣ５は曲率ｒ０の大きさ及び所定の軸Ｌ０との離間距離を用いて、実装面４ａ上での取付位置（つまり、液晶パネル２上の実装位置）が定められており、液晶パネル２が湾曲変形されたときでも、液晶パネル２側から各ドライバＩＣ５に作用する力が小さくなるようになっている。
【００４６】
具体的にいえば、各ドライバＩＣ５では、所定の軸Ｌ０との離間距離として、曲率中心である軸Ｌ０と、例えば上記湾曲方向Ｗでの当該ドライバＩＣ５の中心位置（すなわち、角部Ｃ２（Ｃ１）の位置）との間の距離が用いられている。そして、液晶表示装置１では、各ドライバＩＣ５は曲率ｒ０の大きさ及び対応する上記離間距離を基に液晶パネル２上での実装位置が決定されている。すなわち、ドライバＩＣ５では、曲率ｒ０の大きさが大きくなるに比例し、及び／または離間距離が小さくなるに比例して、液晶パネル２側から作用する力が大きくなる。詳細には、所定の軸Ｌ０に関して湾曲方向Ｗで遠い側の端部、例えばドライバＩＣ５ｃにおいては、所定の軸Ｌ０に近い角部Ｃ３よりも所定の軸Ｌ０に遠い角部Ｃ４に作用する力が大きくなって、当該角部Ｃ４側でドライバＩＣ５ｃが剥がれたり、ドライバＩＣ５ｃに設けられた複数の端子の一部に接触不良が生じたりして、当該ドライバＩＣ５ｃに動作不良が発生し易くなる。
【００４７】
そこで、液晶表示装置１では、所定の軸Ｌ０に対して、ドライバＩＣ５を斜めに配置することにより、例えばドライバＩＣ５ｃの角部Ｃ４に作用する力を極力低減することが可能となる。この結果、液晶表示装置１では、各ドライバＩＣ５に動作不良が発生するのを防ぐことができる。
【００４８】
尚、液晶表示装置１では、ドライバＩＣ５を液晶パネル２上に実装した後、上記のように当該液晶パネル２を湾曲変形させてもよいし、液晶パネル２を湾曲変形させた後、ドライバＩＣ５を液晶パネル２上に実装することもできる。
【００４９】
以上のように構成された本実施形態の液晶表示装置１では、上記長方形状のドライバＩＣ５が所定の軸Ｌ０に対して斜めに配置されるように液晶パネル（表示パネル）２に実装されているので、ドライバＩＣ５の所定の軸Ｌ０に対して垂直方向での当該ドライバＩＣ５の見かけの長さを短くすることができる。これにより、液晶パネル２を所定の軸Ｌ０周りに湾曲変形させたときに、ドライバＩＣ５に作用する力を小さくすることができる。この結果、本実施形態の液晶表示装置１では、従来例と異なり、所定の軸Ｌ０に対して垂直方向の線上に沿ってドライバＩＣ５を設置させる場合でも、ドライバＩＣ５に動作不良が発生するのを防ぎつつ、液晶パネル２を変形させることができるコンパクトで、しかも画素数の多い液晶表示装置１を容易に構成することができる。
【００５０】
［第２の実施形態］
図３（ａ）は本発明の第２の実施形態にかかる液晶表示装置に用いられるドライバＩＣの平面図であり、図３（ｂ）は図３（ａ）に示したドライバＩＣが変形された液晶パネル上に実装された状態を説明する図である。図において、本実施形態と上記第１の実施形態との主な相違点は、ドライバＩＣにおいて、切断面が所定の軸と平行となるように、二つの角部を切断した点である。尚、上記第１の実施形態と共通する要素については、同じ符号を付して、その重複した説明を省略する。
【００５１】
すなわち、図３に示すように、本実施形態のドライバＩＣ１５では、その四つの角部Ｃ１〜Ｃ４のうち、湾曲方向Ｗで外側の二つの角部Ｃ３、Ｃ４が切断（カット）されて、切断部１５ａ、１５ｂがそれぞれ形成されている。そして、本実施形態の液晶表示装置１では、ドライバＩＣ１５の四つの角部Ｃ１〜Ｃ４のうち、湾曲方向Ｗで外側の二つの角部Ｃ３、Ｃ４が、液晶パネル２に対して接続されない状態で、アレイ基板４の実装面４ａ上に当該ドライバＩＣ１５を実装している。
【００５２】
また、ドライバＩＣ１５では、角部Ｃ３、Ｃ４での切断部１５ａ、１５ｂの各大きさ、つまり切断領域は所定の軸Ｌ０との離間距離及び液晶パネル２での曲率ｒ０の大きさを用いて、決定されている。尚、上記離間距離には、曲率中心である軸Ｌ０と、例えば上記湾曲方向Ｗでの当該ドライバＩＣ１５の中心位置１５ｆ（実装面４ａに接する法線Ｈ上の位置）との間の距離が用いられている。
【００５３】
さらに、ドライバＩＣ１５では、切断部１５ａ、１５ｂの切断面１５ａ１、１５ｂ１が所定の軸Ｌ０と平行となるように、角部Ｃ３、Ｃ４が切断されている。
【００５４】
以上の構成により、本実施形態では、上記第１の実施形態と同様な作用・効果を奏することができる。また、本実施形態のドライバＩＣ１５では、角部Ｃ３、Ｃ４が切り落とされて切断部１５ａ、１５ｂが形成されているので、所定の軸Ｌ０に対する垂直方向でのドライバＩＣ１５の見かけの長さをより短くすることができる。また、液晶パネル２を所定の軸Ｌ０周りに湾曲変形させたときに、一点に応力が集中する角部Ｃ３、Ｃ４が接続されていないので、ドライバＩＣ１５の当該角部Ｃ３、Ｃ４からの剥がれや動作不良の発生を極力防ぐことができる。
【００５５】
また、本実施形態のドライバＩＣ１５では、角部Ｃ３、Ｃ４の切断領域が所定の軸Ｌ０との離間距離及び液晶パネル２での曲率ｒ０の大きさを用いて、決定されているので、液晶パネル２を所定の軸Ｌ０を中心として湾曲するように変形させたときに、ドライバＩＣ１５での動作不良の発生を確実に防ぐことができる。
【００５６】
また、本実施形態のドライバＩＣ１５では、切断面１５ａ１、１５ｂ１が所定の軸Ｌ０と平行となるように、角部Ｃ３、Ｃ４が切断されているので、液晶パネル２を所定の軸Ｌ０を中心として湾曲するように変形させたときに、ドライバＩＣ１５にかかる応力が、点でなく線で働くこととなり、ドライバＩＣ１５の端部からの剥がれや動作不良の発生をより確実に防ぐことができる。
【００５７】
尚、上記の説明以外に、曲率ｒ０の大きさや所定の軸Ｌ０との離間距離等によっては、切断面が所定の軸Ｌ０と略平行（例えば、所定の軸Ｌ０に対して１０°程度）となるように、角部を切断する構成でもよい。
【００５８】
［第３の実施形態］
図４（ａ）は本発明の第３の実施形態にかかる液晶表示装置に用いられるドライバＩＣの平面図であり、図４（ｂ）は図４（ａ）に示したドライバＩＣが変形された液晶パネル上に実装された状態を説明する図である。図において、本実施形態と上記第１の実施形態との主な相違点は、ドライバＩＣの液晶パネルへの接続領域が、所定の軸と平行となるように、液晶パネル上に当該ドライバＩＣを実装した点である。尚、上記第１の実施形態と共通する要素については、同じ符号を付してその重複した説明を省略する。
【００５９】
すなわち、図４において、本実施形態のドライバＩＣ２５では、図４（ａ）に斜線部にて示す接続領域２５ａが、所定の軸Ｌ０と平行となるように、アレイ基板４の実装面４ａ上に接続されている。また、ドライバＩＣ２５では、その四つの角部Ｃ１〜Ｃ４のうち、湾曲方向Ｗで外側の二つの角部Ｃ３、Ｃ４側で、図４（ａ）に空白にて示す非接続領域２５ｂ、２５ｃが設けられている。そして、本実施形態の液晶表示装置１では、ドライバＩＣ２５の四つの角部Ｃ１〜Ｃ４のうち、湾曲方向Ｗで外側の二つの角部Ｃ３、Ｃ４（非接続領域２５ｂ、２５ｃ）が、液晶パネル２に対して接続されない状態で、かつ、接続領域２５ａだけが接続された状態で、アレイ基板４の実装面４ａ上に当該ドライバＩＣ２５を実装している。
【００６０】
また、ドライバＩＣ２５では、角部Ｃ３、Ｃ４での接続領域２５ａは所定の軸Ｌ０との離間距離及び液晶パネル２での曲率ｒ０の大きさを用いて、決定されている。尚、上記離間距離には、曲率中心である軸Ｌ０と、例えば上記湾曲方向Ｗでの当該ドライバＩＣ２５の中心位置２５ｆ（実装面４ａに接する法線Ｈ上の位置）との間の距離が用いられている。また、接続領域２５ａと非接続領域２５ｂ、２５ｃの境界面２５ｄ、２５ｅは、所定の軸Ｌ０と平行となるように構成されている。
【００６１】
以上の構成により、本実施形態では、上記第１の実施形態と同様な作用・効果を奏することができる。また、本実施形態のドライバＩＣ２５では、接続領域２５ａが所定の軸Ｌ０と平行となるように、当該液晶パネル２上に実装されているので、液晶パネル２を所定の軸Ｌ０を中心として湾曲するように変形させたときに、ドライバＩＣ２５にかかる応力が、点でなく線で働くこととなり、ドライバＩＣ２５の端部からの剥がれや動作不良の発生を容易に防ぐことができる。
【００６２】
［第４の実施形態］
図５（ａ）は本発明の第４の実施形態にかかる液晶表示装置に用いられるドライバＩＣの平面図であり、図５（ｂ）は図５（ａ）に示したドライバＩＣが変形された液晶パネル上に実装された状態を説明する図である。図において、本実施形態と上記第１の実施形態との主な相違点は、フェースダウンボンディング方式にてＣＯＧ実装されるドライバＩＣの四つの角部において、所定の軸に対して垂直方向にある一対の角部には、端子を形成していない点である。尚、上記第１の実施形態と共通する要素については、同じ符号を付してその重複した説明を省略する。
【００６３】
すなわち、図５において、本実施形態のドライバＩＣ３５では、図５（ａ）に点線の円部にて示す複数の端子３５ａが角部Ｃ３、Ｃ４側に設定された境界線ｆ１、ｆ２の間に設定された形成領域内に設けられている。すなわち、ドライバＩＣ３５では、所定の軸Ｌ０に対して垂直方向にある一対の角部Ｃ３、Ｃ４には、端子３５ａを形成していない。そして、本実施形態の液晶表示装置１では、フェースダウンボンディング方式を用いて、上記形成領域内に設けられた端子３５ａを実装面４ａ上の配線（図示せず）に接続することにより、ドライバＩＣ３５の四つの角部Ｃ１〜Ｃ４のうち、湾曲方向Ｗで外側の二つの角部Ｃ３、Ｃ４が、液晶パネル２に対して接続されない状態で、アレイ基板４の実装面４ａ上に当該ドライバＩＣ３５を実装している。
【００６４】
また、ドライバＩＣ３５では、端子３５ａの形成領域は所定の軸Ｌ０との離間距離及び液晶パネル２での曲率ｒ０の大きさを用いて、決定されている。尚、上記離間距離には、曲率中心である軸Ｌ０と、例えば上記湾曲方向Ｗでの当該ドライバＩＣ３５の中心位置３５ｆ（実装面４ａに接する法線Ｈ上の位置）との間の距離が用いられている。また、境界線ｆ１、ｆ２は、所定の軸Ｌ０と平行となるように構成されている。
【００６５】
以上の構成により、本実施形態では、上記第１の実施形態と同様な作用・効果を奏することができる。また、本実施形態のドライバＩＣ３５では、所定の軸Ｌ０に対して垂直方向にある一対の角部Ｃ３、Ｃ４には、端子３５ａを形成していないので、液晶パネル２を所定の軸Ｌ０を中心として湾曲するように変形させたときに、ドライバＩＣ３５にかかる応力が、上記の角部Ｃ３、Ｃ４に働いて剥がれや接続不良を起こしても、その角部Ｃ３、Ｃ４には端子３５ａが形成されていないため、電気的な動作不良が発生するのを防ぐことができる。
【００６６】
尚、上記の説明以外に、境界線ｆ１、ｆ２の湾曲方向Ｗの各外側領域において、実装面４ａ上に実装（接続）されない、ダミーの端子を設ける構成でもよい。
【００６７】
［第５の実施形態］
図６（ａ）は本発明の第５の実施形態にかかる液晶表示装置に用いられるドライバＩＣの平面図であり、図６（ｂ）は図６（ａ）に示したドライバＩＣが変形された液晶パネル上に実装された状態を説明する図である。図において、本実施形態と上記第１の実施形態との主な相違点は、ドライバＩＣの角部に丸みを設けた点である。尚、上記第１の実施形態と共通する要素については、同じ符号を付してその重複した説明を省略する。
【００６８】
すなわち、図６に示すように、本実施形態のドライバＩＣ４５では、第２の実施形態と同様に、その四つの角部Ｃ１〜Ｃ４のうち、湾曲方向Ｗで外側の二つの角部Ｃ３、Ｃ４が切断されている。また、ドライバＩＣ４５では、切断された角部Ｃ３、Ｃ４において、Ｒ加工が施され、丸み（曲面）４５ａ、４５ｂがそれぞれ形成されている。そして、本実施形態の液晶表示装置１では、ドライバＩＣ４５の四つの角部Ｃ１〜Ｃ４のうち、湾曲方向Ｗで外側の二つの角部Ｃ３、Ｃ４が、液晶パネル２に対して接続されない状態で、アレイ基板４の実装面４ａ上に当該ドライバＩＣ４５を実装している。
【００６９】
また、ドライバＩＣ４５では、角部Ｃ３、Ｃ４での丸み４５ａ、４５ｂの各大きさは所定の軸Ｌ０との離間距離及び液晶パネル２での曲率ｒ０の大きさを用いて、決定されている。尚、上記離間距離には、曲率中心である軸Ｌ０と、例えば上記湾曲方向Ｗでの当該ドライバＩＣ４５の中心位置４５ｆ（実装面４ａに接する法線Ｈ上の位置）との間の距離が用いられている。
【００７０】
以上の構成により、本実施形態では、上記第１の実施形態と同様な作用・効果を奏することができる。また、本実施形態のドライバＩＣ４５では、角部Ｃ３、Ｃ４に、丸み４５ａ、４５ｂがそれぞれ形成されているので、液晶パネル２を変形させたときでも、ドライバＩＣ４５が当該液晶パネル２から剥がれるのを極力抑えることができる。
【００７１】
尚、上記の各実施形態はすべて例示であって制限的なものではない。本発明の技術的範囲は特許請求の範囲によって規定され、そこに記載された構成と均等の範囲内のすべての変更も本発明の技術的範囲に含まれる。
【００７２】
例えば、上記の説明では、本発明を液晶表示装置に適用した場合について説明したが、本発明の表示装置は、これに限定されるものではなく、情報を表示する表示部を有し、かつ所定の軸周りに湾曲変形可能に構成された表示パネルと、表示部を駆動する矩形状のドライバＩＣとを備え、所定の軸に対して斜めに配置されるように表示パネル上にドライバＩＣを実装した各種表示装置に本発明を適用することができる。具体的には、上記透過型以外の半透過型や反射型などの他の形式の液晶パネルや有機ＥＬパネルなどの表示パネルを備えた表示装置に適用することができる。
【００７３】
また、上記の説明では、液晶パネル（表示パネル）の長手方向に沿って、六個のドライバＩＣを配列するとともに、当該長手方向の中心軸を所定の軸として液晶パネルを湾曲変形させた場合について説明したが、本発明は、これに限定されるものではなく、ドライバＩＣの設置数や設置箇所あるいは表示パネルの変形形状などは上記のものに何等限定されない。具体的には、例えば表示パネルの短手方向に沿って正方形状のドライバＩＣを表示部に対し斜めに実装してもよい。また、表示装置の側面からみた形状が波形状となるように、複数の所定の軸を各々中心として表示パネルを変形させてもよい。
【００７４】
また、上記第２〜第５の各実施形態の説明では、液晶パネルでの上記所定の軸に対し、ドライバＩＣの対角線を非平行な状態で、液晶パネル上に実装した場合について説明したが、本発明は、これに限定されるものはなく、第１の実施形態と同様に、第２〜第５の各実施形態において、ドライバＩＣの二つの対角線のうち、一方の対角線が所定の軸と異なる位置で、かつ、互いに平行となるように、表示パネル上に当該ドライバＩＣを実装してもよい。このように構成した場合には、所定の軸に対する垂直方向でのドライバＩＣの見かけの長さを最も短くすることができることから、曲率を比較的大きくして表示パネルを変形させたときでも、多数のドライバＩＣを容易に配置することが可能となる点で好ましい。
【００７５】
また、上記第２〜第５の各実施形態の説明では、ドライバＩＣの四つの角部のうち、湾曲方向で外側の二つの角部が、液晶パネルに対して接続されない状態とした場合について説明したが、本発明はこれに限定されるものはなく、所定の軸に対して垂直方向にある一対の角部のうちの少なくとも一方の角部）を、表示パネルに対して接続しない状態で、当該表示パネル上にドライバＩＣを実装したものであればよい。このように構成した場合には、少なくとも一方の角部は表示パネルに接続されていないので、表示パネルを変形させたときでも、一点に応力が集中する角部（上記の少なくとも一方の角部）が、接続されていないので、ドライバＩＣの当該角部からの剥がれや動作不良の発生を極力防ぐことができる点で好ましい。
【００７６】
また、上記の説明以外に、第１乃至第５の各実施形態を適宜組み合わせて構成してもよい。
【産業上の利用可能性】
【００７７】
本発明は、所定の軸に対して垂直方向の線上に沿ってドライバＩＣを設置させる場合でも、ドライバＩＣに動作不良が発生するのを防ぎつつ、表示パネルを変形させることができるコンパクトで画素数の多い表示装置、及びそれに用いられるドライバＩＣに対して有用である。
【図面の簡単な説明】
【００７８】
【図１】本発明の第１の実施形態にかかる液晶表示装置の概略構成を示す平面図である。
【図２】図１に示した液晶表示装置において、その液晶パネルが変形された場合での当該液晶表示装置の一部拡大側面図である。
【図３】（ａ）は本発明の第２の実施形態にかかる液晶表示装置に用いられるドライバＩＣの平面図であり、（ｂ）は（ａ）に示したドライバＩＣが変形された液晶パネル上に実装された状態を説明する図である。
【図４】（ａ）は本発明の第３の実施形態にかかる液晶表示装置に用いられるドライバＩＣの平面図であり、（ｂ）は（ａ）に示したドライバＩＣが変形された液晶パネル上に実装された状態を説明する図である。
【図５】（ａ）は本発明の第４の実施形態にかかる液晶表示装置に用いられるドライバＩＣの平面図であり、（ｂ）は（ａ）に示したドライバＩＣが変形された液晶パネル上に実装された状態を説明する図である。
【図６】（ａ）は本発明の第５の実施形態にかかる液晶表示装置に用いられるドライバＩＣの平面図であり、（ｂ）は（ａ）に示したドライバＩＣが変形された液晶パネル上に実装された状態を説明する図である。
【符号の説明】
【００７９】
１  液晶表示装置（表示装置）
２  液晶パネル（表示パネル）
３  ＣＦ基板（一対の透明基板）
４  アレイ基板（一対の透明基板）
５ａ〜５ｆ、１５、２５、３５、４５  ドライバＩＣ
Ｃ１〜Ｃ４  角部
Ｌ１  一方の対角線
１５ａ１、１５ｂ１  切断面
２５ａ  接続領域
３５ａ  端子
４５ａ、４５ｂ  丸み
６  液晶層
Ｄ  表示部
Ｌ０  所定の軸
ｒ０  曲率
【図１】
2009180904.tif 000003
【図２】
2009180904.tif 000004
【図３】
2009180904.tif 000005
【図４】
2009180904.tif 000006
【図５】
2009180904.tif 000007
【図６】
2009180904.tif 000008